【事件の表示】
　特許第３３３９７５２号「レーザ記録装置」の請求項１ないし３に係る特許に対する特許異議の申立てについて、次のとおり決定する。
【結　論】
　訂正を認める。
　特許第３３３９７５２号の請求項１ないし３に係る特許を取り消す。
【理　由】
第１　手続の経緯
　本件の出願から本決定に至るまでの主な経緯は次のとおりである。
・平成６年９月８日　本件出願（特願平６−２４２１６２号）
・平成１４年８月１６日　特許第３３３９７５２号として設定登録（請求項１乃至３）
・平成１５年４月２８日　特許異議申立人ペンタックス株式会社より、請求項１乃至３に係る特許に対して特許異議申立
・平成１５年６月２４日付け　当審にて取消理由通知
・平成１５年８月２９日　特許権者より意見書及び訂正請求書提出（以下、この訂正請求による訂正を「本件訂正」という。）
・平成１５年９月４日付け　特許異議申立人ペンタックス株式会社宛て審尋
・平成１５年１０月１日　特許異議申立人ペンタックス株式会社より回答書提出
　
第２　訂正の可否の判断
　
１．訂正の内容
　
［訂正事項１］
　特許請求の範囲の請求項１を、本件訂正前の
「【請求項１】　感光ドラム上をレーザ光により主走査方向へ走査して潜像を形成し、該潜像にトナーを付着させ可視画像を形成し、用紙に画像を転写するレーザ記録装置において、
　感光ドラムと関連する所定位置に配置され、レーザ光を検出してビームディテクト信号を発するレーザ光検出素子と、
　該レーザ光検出素子からのビームディテクト信号の開始に基づき前記所定位置へのレーザ光の照射を検知し、ビームディテクト検知信号を出力するビーム検知手段と、
　前記ビーム検知手段の入力又は出力をマスクするマスク手段と、
　レーザ光の１走査期間と対応する該１周期よりも短いマスク時間を設定するマスク時間設定手段とを有し、前記マスク手段が、前記ビーム検知手段のビームディテクト検知信号の出力により、ビームディテクト信号の開始後であってビームディテクト信号の終了前に前記ビーム検知手段の入力又は出力をマスクし、前記ビームディテクト信号の終了後における前記マスク時間設定手段により設定されるマスク時間の経過で、該ビーム検知手段のマスクを解除することを特徴とするレーザ記録装置。」から
「【請求項１】　感光ドラム上をレーザ光により主走査方向へ走査して潜像を形成し、該潜像にトナーを付着させ可視画像を形成し、用紙に画像を転写するレーザ記録装置において、
　感光ドラムと関連する所定位置に配置され、レーザ光を検出してビームディテクト信号を発するレーザ光検出素子と、
　該レーザ光検出素子からのビームディテクト信号の開始に基づき前記所定位置へのレーザ光の照射を検知し、ビームディテクト検知信号を出力するビーム検知手段と、
　前記ビーム検知手段の
入力
　レーザ光の１走査期間と対応する該１周期よりも短いマスク時間を設定するマスク時間設定手段とを有し、前記マスク手段が、前記ビーム検知手段のビームディテクト検知信号の出力により、ビームディテクト信号の開始後であってビームディテクト信号の終了前に前記ビーム検知手段の
入力
　
［訂正事項２］
　本件訂正前の発明の詳細な説明における【０００８】に記載された「入力又は出力」を「入力」と訂正する。
　
［訂正事項３］
　本件訂正前の発明の詳細な説明における【０００９】に記載された「ビーム検知手段をマスクする。」を「ビーム検知手段の入力をマスクする。」と訂正する。
　
［訂正事項４］
　本件訂正前の発明の詳細な説明における【００２３】に記載された、「ビーム検知手段」を「ビーム検知手段の入力」と訂正する。
　
２．訂正目的の適否、新規事項追加の有無及び特許請求の範囲の拡張・変更の存否について
　訂正事項１は、マスク手段がマスクする対象を「ビーム検知手段の入力又は出力」から「ビーム検知手段の入力」と限定するものであり、特許請求の範囲の減縮を目的とするものである。訂正事項２〜４に係る訂正は、訂正事項１に係る特許請求の範囲の訂正と整合させるため、発明の詳細な説明を訂正するものであり、明りようでない記載の釈明を目的とするものである。
　また、訂正事項１〜４は、それぞれ願書に添付した明細書及び図面（以下、「特許明細書」という。）における「ＢＤ検知回路３４の入力側をマスクするマスク回路３８とから成る。」（【００１１】）等の記載に基づくものであるから、特許明細書に記載した事項の範囲内でなされた訂正である。
　そして、訂正事項１〜訂正事項４が、特許請求の範囲を実質上拡張又は変更するものでないことは明らかである。
　
３．訂正の可否の判断の結論
　以上のとおりであるから、本件訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、本件訂正を認める。
　
第３　特許異議申立についての判断
　
１．本件発明の認定
　上記したとおり、本件訂正が認められるから、本件の請求項１乃至３に係る発明（以下、請求項番号に従い「本件発明１」、「本件発明２」、「本件発明３」という。）は、訂正請求書に添付された訂正明細書の特許請求の範囲の請求項１乃至３に記載された次のとおりのものと認める。
　
「【請求項１】　感光ドラム上をレーザ光により主走査方向へ走査して潜像を形成し、該潜像にトナーを付着させ可視画像を形成し、用紙に画像を転写するレーザ記録装置において、
　感光ドラムと関連する所定位置に配置され、レーザ光を検出してビームディテクト信号を発するレーザ光検出素子と、
　該レーザ光検出素子からのビームディテクト信号の開始に基づき前記所定位置へのレーザ光の照射を検知し、ビームディテクト検知信号を出力するビーム検知手段と、
　前記ビーム検知手段の入力をマスクするマスク手段と、
　レーザ光の１走査期間と対応する該１周期よりも短いマスク時間を設定するマスク時間設定手段とを有し、
　前記マスク手段が、前記ビーム検知手段のビームディテクト検知信号の出力により、ビームディテクト信号の開始後であってビームディテクト信号の終了前に前記ビーム検知手段の入力をマスクし、前記ビームディテクト信号の終了後における前記マスク時間設定手段により設定されるマスク時間の経過で、該ビーム検知手段のマスクを解除することを特徴とするレーザ記録装置。
【請求項２】　前記ビーム検知手段が、該レーザ光検出素子からの信号を複数回読み出すことにより、前記所定位置へのレーザ光の照射を検知し、ビームディテクト信号を出力することを特徴とする請求項１のレーザ記録装置。
【請求項３】　前記マスク時間設定手段により設定されるマスク時間が、１走査期間の１／１０以上の長さであることを特徴とする請求項１のレーザ記録装置。」
　
２．引用刊行物記載の発明
　
（１）取消理由に引用された、本件出願前日本国内において頒布された刊行物である、特開昭６１−１５９８６３号公報（特許異議申立人ペンタックス株式会社が提出した甲第１号証。以下、「引用例１」という。）には次の事項が記載又は図示されている。
　
（ア）第１ページ右下欄９行〜第２ページ左下欄４行
「〔産業上の利用分野〕
　この発明はレーザビームプリンタに関し、特に、レーザビームを検知する光センサと、光センサの出力に対応した電圧を基準電圧と比較する電圧比較器と、電圧比較器の出力変化に応じて画像書込みタイミングを制御する制御回路とを具え、レーザビームの走査により感光体上に画像を記録するようになっているレーザビームプリンタに関するものである。
〔従来技術〕
　一般に、レーザビームプリンタは、第４図に示すように、レーザ発振器１１から出力されるレーザ光の光軸に沿ってビームエキスパンダレンズ１２、光変調器１３、ビームエキスパンダレンズ１４、シリンドリカルレンズ１５、回転多面鏡１６、ｆθレンズ１７およびシリンドリカルレンズ１８が順に配置され、また、感光体ドラム１９の表面における画像の記録の書出し位置を決めるための光センサ１が、感光体ドラム１９の側方に設けられ、さらに、前記シリンドリカルレンズ１８と感光体ドラム１９との間には、感光体ドラム１９の周囲の一部に設けられる図示しない現像系におけるトナー等の飛散によって汚れることを防止するための防塵ガラス２０が設けられ、これ等で全体の概略が構成されている。このようなレーザビームプリンタにおいて、従来は、第５図に示すように、レーザビームを検知する光センサ１として、高速のホトダイオードを使用し、光センサ１の出力を増幅する増幅器２として、高速のオペアンプまたはビデオアンプを使用し、前記増幅器２の出力電圧を基準電圧と比較する電圧比較器３として、高速のコンパレータを使用し、光センサ１にレーザビームが入射すると、電圧比較器３の出力が「Ｈ」から「Ｌ」（または「Ｌ」から「Ｈ」）に変化することによって光センサ１へのレーザビームの入射タイミングを検出し、制御回路４がこの入射タイミングと同期して画像書込みタイミングを決めることにより、ジッタのない画像が得られるようになっていた。しかしながら、このような従来のものにあっては、正常時にはレーザビームの１走査で電圧比較器３から１個のパルスが第６図に示すように発生するが、たとえば、光センサ１の出力や増幅器２の出力に散乱光等による光ノイズに起因したノイズやその他の電気的ノイズが含まれていた場合には、前記電圧比較器３が、いわゆる、チャタリングを起こしてレーザビームの１走査で電圧比較器３から複数個のパルスが第７図に示すように発生してしまい、これが制御回路４に入力されてプリンタの誤動作を生じさせることがあり、この現象は、たとえば、コストの低減をはかるために光センサ１、増幅器２および電圧比較器３に応答速度が比較的遅いものを使用した場合でも生じてしまっていた。」
　
（イ）第２ページ右下欄１３行〜第３ページ右上欄下から２行
「第１図にはこの発明によるレーザビームプリンタの一実施例の要部が示されており、このレーザビームプリンタは、レーザビームを検知する光センサ１と、この光センサ１の出力を増幅して光センサ１の出力に対応した電圧を出力する増幅器２と、この増幅器２の出力電圧を、基準電圧と比較して、光センサ１にレーザビームが入射すると出力が「Ｈ」から「Ｌ」（または「Ｌ」から「Ｈ」）に変化する電圧比較器３があり、さらに前記電圧比較器３の後段に、電圧比較器３の最初の出力変化、すなわち、立下り（または立上り）に同期して、レーザビームが光センサ１を横切る時間（すなわち、電圧比較器３の出力パルス幅）より長くかつレーザビームの１走査周期の時間より短い範囲で任意に選定することのできるパルス幅を有する１個のパルスを発生するパルス発生回路５を設け、パルス発生回路５の出力を、その出力パルスの先頭の立下り（または立上り）に同期して画像書込みタイミングを決める制御回路４に入力するようにしたものである。・・・光センサ１の出力や増幅器２の出力に散乱光等による光ノイズに起因したノイズやその他の電気的ノイズが含まれていた場合は、電圧比較器３がいわゆるチャタリングを起こしてレーザビームの１走査で電圧比較器３から複数個のパルスが発生するが、そのうち最初の出力変化すなわち立下り（または立上り）に同期して立下る（または立上る）１個のパルスがパルス発生回路５から出力するため、制御回路４はパルス発生回路５の出力パルスの先頭の立下り（または立上り）に同期して画像書込みタイミングを決めることができ、これにより画像書込みタイミングは光センサ１へのレーザビームの入射タイミングに的確に対応し、かつ、同期することとなり、したがって、レーザビームプリンタの誤動作が生じることはないものであるない。」
　
（ウ）第２図
　第２図からは、電圧比較器３の出力が変化する時点で複数個のパルスが発生していることが看取できる。
　
　まず、レーザビームプリンタを用いて用紙に文書等を印刷するためには、感光体上に書込まれた画像にトナーを付着させ可視画像を形成し、当該画像を用紙に転写させなければならないことは自明であり、引用例１記載のレーザビームプリンタにおいても、用紙に印刷を行うためには当然に同様の動作を行わなければならない。上記（ア）の「感光体ドラム１９の周囲の一部に設けられる図示しない現像系」との記載からみても、引用例１記載のレーザビームプリンタが、感光体上に書込まれた画像にトナーを付着させ可視画像を形成し、当該画像を用紙に転写させていることは明らかである。
　それ故、これら（ア）〜（ウ）の記載及び図示を含む引用例１の全記載及び図示からみて、引用例１には、以下の発明が記載されているものと認める（以下、「引用発明１」という。）。
　
「感光体ドラム１９上をレーザビームにより走査して画像を記録し、該画像にトナーを付着させ可視画像を形成し、用紙に画像を転写するレーザビームプリンタにおいて、
　感光体ドラム１９の側方に設けられ、レーザビームを検知する光センサ１と、
　該光センサ１の出力を増幅して前記光センサ１の出力に対応した電圧を出力する増幅器２と、
　該増幅器２の出力電圧を、基準電圧と比較して、前記光センサ１にレーザビームが入射すると出力が「Ｈ」から「Ｌ」（または「Ｌ」から「Ｈ」）に変化する電圧比較器３と、
　該電圧比較器３の最初の出力変化に同期して立下る（または立上る）、前記レーザビームが前記光センサ１を横切る時間（すなわち、電圧比較器３の出力パルス幅）より長くかつレーザビームの１走査周期の時間より短い範囲で任意に選定することのできるパルス幅を有する１個のパルスを発生するパルス発生回路５と、
　該パルス発生回路５の出力パルスの先頭の立下り（または立上り）に同期して画像書込みタイミングを決める制御回路４と、
　を有するレーザビームプリンタ。」
　
（２）また、取消理由に引用された、本件出願前日本国内において頒布された刊行物である、特開平５−２５９８３６号公報（特許異議申立人ペンタックス株式会社が提出した甲第２号証。以下、「引用例２」という。）には次の事項が記載又は図示されている。
　
（エ）特許請求の範囲
「【請求項１】所定周期でキー入力信号をサンプリングしてそのサンプリングした値と、１サンプル前の値とを比較し、両値が等しいときにカウント値を進め等しくない場合にリセットされるカウンタ回路と、このカウンタ回路のカウント値と、予め定めて設定値とを比較して一致時に一致信号を出力する比較器とを有し、一致信号が出力された時にキー入力信号の値に出力を更新するデジタルフィルタを用いたことを特徴とするチャタリング除去回路。」
　
（オ）段落番号０００１
「【産業上の利用分野】本発明は、機械的スイッチの操作信号であるキー入力信号のチャタリングを除去するチャタリング除去回路に関するものである。」
　
（カ）段落番号０００９
「【実施例】（実施例１）図１は、請求項１記載の発明に対応する実施例であり、この実施例のチャタリング除去回路は３つのＤ型フリップフロップＤ１〜Ｄ３と、セレクタＳＣと、排他的オアＥＯＲと、アンドゲートＡＮ、オアゲートＯＲと、ノットゲートＮＴと、アップカウンタ回路ＣＴと、デジタルコンパレータよりなる比較器ＤＣＰとで構成されたデジタルフィルタを用いており、５サンプル期間の間同じ入力が与えられたときにキー入力信号の値に出力ＯＵＴＰＵＴの値を更新し、チャタリングの影響を除去するようになっている。」
　
（キ）段落番号００２０
「従って、比較器ＤＣＰは一致信号ＥＱを”Ｌ”のまま維持するため、出力ＯＵＴＰＵＴは”Ｈ”のまま変化しない。つまりカウンタ回路ＣＴが”４”までカウントしない間にキー入力信号ＩＮＰＵＴの値が変化すると、出力ＯＵＴＰＵＴの値を更新することができないのである。」
　
　これら（エ）〜（キ）の記載及び図示を含む引用例２の全記載及び図示からみて、引用例２には、以下の発明が記載されているものと認める（以下、「引用発明２」という。）。
　
「所定周期でキー入力信号をサンプリングしてそのサンプリングした値と、１サンプル前の値とを比較し、両値が等しいときにカウント値を進め等しくない場合にリセットされるカウンタ回路と、このカウンタ回路のカウント値と、予め定めて設定値とを比較して一致時に一致信号を出力する比較器とを有し、一致信号が出力された時にキー入力信号の値に出力を更新するデジタルフィルタを用いたことを特徴とするチャタリング除去回路。」
　
３．本件発明１と引用発明１の一致点及び相違点の認定
　本件発明１と引用発明１とを対比する。
　
（１）引用発明１における「感光体ドラム１９」、「レーザビーム」、「走査して」、「光センサ１」、「感光体ドラム１９の側方に設けられ」、「レーザビームプリンタ」は、それぞれ本件発明１における「感光ドラム」、「レーザ光」、「主走査方向へ走査して」、「レーザ光検出素子」、「感光ドラムと関連する所定位置に配置され」、「レーザ記録装置」に相当する。
　
（２）引用発明１は「感光体ドラム１９」上に画像を記録するものであるが、感光ドラムに記録される画像を一般に「潜像」ともいう。それ故、引用例１発明における「画像を記録し」は、本件発明１における「潜像を形成し」に相当する。
　
（３）引用発明１における「光センサ１」は、レーザビームを検知して出力するものである。それ故、引用発明１における光センサ１の「出力」は、本件発明１における「ビームディテクト信号」に相当する。
　
（４）引用発明１における「電圧比較器３」は、光センサの出力に対応した出力電圧を基準電圧と比較しており、感光体ドラム１９の側方に設けられた前記光センサ１にレーザビームが入射すると出力が「Ｈ」から「Ｌ」に変化するものであるから、光センサ１の出力（本件発明１における「レーザ光検出素子からのビームディテクト信号」に相当。）の開始に基づき、当該光センサ１へのレーザビームの照射を検知しているということができる。それ故、引用発明１における「電圧比較器３」及びその「出力」は、それぞれ本願発明１における「ビーム検知手段」及び「ビームディテクト検知信号」に相当する。
　
（５）引用発明１における「パルス発生回路５」は、「電圧比較器３」の最初の出力変化に同期して１個の出力パルスを発生しているため、たとえ「電圧比較器３」の出力にチャタリング等による複数のパルスが重畳していたとしても、「パルス発生回路５」からは「制御回路４」に１個のパルスしか出力されない。すなわち、当該「パルス発生回路５」は、「電圧比較器３」の出力をパルス幅の期間だけマスクする機能を有するということができ、それ故、本件発明１と引用発明１とでは、「ビーム検知手段をマスクするマスク手段」を有することにおいて一致する。
　
（６）上述するように引用発明１における「パルス発生回路５」は、本件発明１における「マスク手段」に相当する。引用発明１の「パルス発生回路５」が発生するパルスは、「電圧比較器３の最初の出力変化に同期して」立下り（または立上り）、そのパルス幅は「レーザビームが光センサ１を横切る時間（すなわち、電圧比較器３の出力パルス幅）より長くかつレーザビームの１走査周期の時間より短い範囲」に任意に設定されている。
　そして、レーザビームが光センサ１を横切る時間（すなわち、電圧比較器３の出力パルス幅）は、レーザビームを検知した際に光センサ１が出力する時間と等しい（この点は、引用例１における第２図にも図示されている。）ことから、「パルス発生回路５」によるマスクは、レーザビームの１走査周期の時間より短い時間に設定されており、かつ電圧比較器３の出力により、光センサ１の出力の開始後であって光センサ１の出力の終了前に始まり、光センサ１の出力の終了後における任意の時間に解除されるということができる。
　いま、引用発明１における「光センサ１の出力」及び「電圧比較器３の出力」が、それぞれ本件発明１における「ビームディテクト信号」及び「ビームディテクト検知信号」に相当することは上述のとおりであるから、引用発明１におけるマスクと本件発明１におけるマスクとは、「レーザ光の１走査期間と対応する該１周期よりも短いマスク時間であって、ビーム検知手段のビームディテクト検知信号の出力により、ビームディテクト信号の開始後であってビームディテクト信号の終了前にビーム検知手段をマスクし、前記ビームディテクト信号の終了後における前記マスク時間の経過で、該ビーム検知手段のマスクを解除する」ことにおいて一致する。
　
　したがって、両者は、
「感光ドラム上をレーザ光により主走査方向へ走査して潜像を形成し、該潜像にトナーを付着させ可視画像を形成し、用紙に画像を転写するレーザ記録装置において、
　感光ドラムと関連する所定位置に配置され、レーザ光を検出してビームディテクト信号を発するレーザ光検出素子と、
　該レーザ光検出素子からのビームディテクト信号の開始に基づき前記所定位置へのレーザ光の照射を検知し、ビームディテクト検知信号を出力するビーム検知手段と、
　前記ビーム検知手段をマスクするマスク手段と、
　該マスク手段のマスク時間はレーザ光の１走査期間と対応する該１周期よりも短く、
　前記マスク手段が、前記ビーム検知手段のビームディテクト検知信号の出力により、ビームディテクト信号の開始後であってビームディテクト信号の終了前に前記ビーム検知手段をマスクし、前記ビームディテクト信号の終了後における前記マスク時間の経過で、該ビーム検知手段のマスクを解除するレーザ記録装置。」
で一致し、次の点で相違する。
　
［相違点１］
　本件発明１では、マスク時間を設定するマスク時間設定手段を有するのに対して、引用発明１では、そのような手段を有するか否か不明な点。
　
［相違点２］
　本件発明１では、ビーム検知手段の入力をマスクしているのに対して、引用発明１では、ビーム検知手段の出力をマスクしている点。
　
４．相違点についての判断及び本件発明１の進歩性の判断
　
（１）相違点１について
　引用発明１は、「パルス発生回路５」が発生するパルスのパルス幅を任意に選定することのできるものであるから、当然にパルス幅を設定するパルス幅設定手段を有していなければならない。そして、上記３．で述べたとおり「パルス発生回路５」はマスク手段として機能し、発生するパルスの幅がマスク時間に相当するのであるから、引用発明１はマスク時間を設定するマスク時間設定手段を有するということができる。
　したがって、この点において両者に実質的な差異はない。
　
（２）相違点２について
　引用発明１は、光センサ１の出力や増幅器２の出力に散乱光等による光ノイズに起因したノイズやその他の電気的ノイズが含まれていた場合に、電圧比較器３がいわゆるチャタリングを起こしてレーザビームの１走査で電圧比較器３から複数個のパルスが発生してしまい、これが制御回路４に入力されてプリンタの誤作動を生じさせるという課題を解決するものである（上記２．（１）（ア）参照。）。そして、引用発明１では、電圧比較器３がチャタリングを起こして複数個のパルスが発生した後の対策として、これら複数個のパルスが制御回路４へ入力しないように電圧比較器３の出力をマスクしている。しかしながら、制御回路４にチャタリング起因の複数パルスを入力させないためには、そもそも電圧比較器３がチャタリングを起こさないように、当該電圧比較器３への入力から、ノイズが含まれるであろう部分を予めマスクして電圧比較器３にノイズを入力させないようにすることも当業者であれば容易に想到できることである。
　実際、レーザ記録装置において、ノイズに起因するパルスがビーム検知手段に後続する制御回路に入力しないようにビーム検知手段の入力をマスクすることは、例えば特開昭６３−２６７０６１号公報（第２ページ右上欄５行〜同欄１７行、第２ページ右下欄１０行〜第３ページ左上欄１行、第１図及び第２図。「ＳＰＤ用ゲートＧ２」が入力をマスクしている。）、特開昭６２−１４５２６４号公報（第３ページ左下欄７行〜同ページ右下欄１４行、第１図及び第２図。「アンドゲート３０」が入力をマスクしている。）に記載されるよう従来周知である。そして、引用発明１に当該周知技術を適用して電圧比較器３の入力をマスクする場合においても、例えば電圧比較器３の増幅器２からの入力側にリレーを設け、電圧比較器３の最初の出力変化に同期してリレーを遮断するよう構成する等、当業者であれば両者の組み合わせに必要な電子回路を適宜設計し得るものであるから、引用発明１に当該周知技術を組み合わせることを阻害する要因は見あたらない。
　したがって、引用発明１において、電圧比較器３（本件発明１における「ビーム検知手段」に相当。）の入力をマスクすることは、当業者であれば容易に想到できることである。
　
（３）本件発明１の進歩性の判断
　相違点１に係る本件発明１の構成と引用発明１の構成とには実質的な差異がない。また、相違点２に係る本件発明１の構成は当業者にとって想到容易である。さらに、これら構成を採用したことによる格別の作用効果を認めることもできない。
　したがって、本件発明１は、引用発明１及び周知技術に基づいて当業者が容易に発明できたものである。
　
５．本件発明２と引用発明１の一致点及び相違点の認定
　本件発明２は、本件発明１の構成すべてを構成とし、さらに「ビーム検知手段」が「レーザ光検出素子からのビームディテクト信号を複数回読み出すこと」により「所定位置へのレーザ光の照射を検知し、ビームディテクト検知信号を出力」するものである。それ故、本件発明２と引用発明１とを対比すると、上記３．において本件発明１と引用発明１とが一致すると認定した点で本件発明２と引用発明１は一致し、以下の点で相違する。
　なお、請求項２における「該レーザ光検出素子」、「前記ビーム検知手段」は、それぞれ請求項１の、ビームディテクト信号を発する「レーザ光検出素子」、ビームディテクト検知信号を出力する「ビーム検知手段」を指すことは明らかであるから、請求項２における「レーザ光検出素子からの信号」は「レーザ光検出素子からのビームディテクト信号」の誤記であり、「ビームディテクト信号を出力する」は「ビームディテクト検知信号を出力する」の誤記であると認定して引用発明１との対比を行った。
　
［相違点３］
　本件発明２では、マスク時間を設定するマスク時間設定手段を有するのに対して、引用発明１では、そのような手段を有するか否か不明な点。
　
［相違点４］
　本件発明２では、ビーム検知手段の入力をマスクしているのに対して、引用発明１では、ビーム検知手段の出力をマスクしている点。
　
［相違点５］
　本件発明２では、ビーム検知手段がレーザ光検出素子からのビームディテクト信号を複数回読み出している。他方、引用発明１では、光センサ１の出力を増幅する増幅器２の出力電圧を、基準電圧と比較して、電圧比較器３（本件発明２における「ビーム検知手段」に相当。）の最初の出力変化に同期して立下る（または立上る）パルスを発生するのであるから、前記電圧比較器３の出力が最初に変化した以降は、光センサ１からの出力（本件発明２における「ビームディテクト信号」に相当。）を読み出していない点。
　
６．相違点についての判断及び本件発明２の進歩性の判断
　
（１）相違点３及び相違点４について
　相違点３及び４は、本件発明１と引用発明１との相違点１及び２と同一である。そして、相違点１は実質的な差異ではないこと、相違点２に係る本件発明１の構成を採用することは当業者にとって想到容易であることは４．（１）及び（２）で述べたとおりであるから、同様の理由により、相違点３に係る本件発明２の構成と引用発明１の構成とには実質的な差異がなく、相違点４に係る本件発明２の構成を採用することは、当業者にとって容易に想到できることである。
　
（２）相違点５について
　引用発明１は、電圧比較器３の最初の出力変化に同期して立下る（または立上る）パルスを発生するものである。しかしながら、引用例１に記載又は図示されるように（上記２．（１）（イ）及び（ウ）参照。）、電圧比較器３の出力が最初に変化する時点はチャタリングによるパルスが発生しやすい時点でもあり、電圧比較器３の最初の出力変化が、電圧比較器３のチャタリングにより生じた可能性もある。引用発明１は、電圧比較器３の出力変化に応じて画像書込みタイミングを決定するのであるから、当該電圧比較器３の出力変化が、感光体ドラム１９の側方に設けられた光センサ１へのレーザビーム照射によって生じるものでなければならない。そうすると、電圧比較器３の出力変化がレーザビーム照射によって生じたものであることを確実に検知する必要があることは、当業者であれば容易に想到できることである。
　他方、前述の引用発明２は、キー入力信号を複数回読み出すことによりチャタリングを除去するチャタリング除去回路であり、キー入力信号が「Ｌｏｗ」から「Ｈｉｇｈ」に変化した時点で出力を「Ｌｏｗ」から「Ｈｉｇｈ」に変化させるのではなく、キー入力信号を複数回サンプリングし、サンプリングした値が全て「Ｈｉｇｈ」だった時点で初めて出力を「Ｌｏｗ」から「Ｈｉｇｈ」に変化させるものである。言い換えれば、キー入力信号の「Ｈｉｇｈ」を複数回読み出すことにより、「Ｈｉｇｈ」を出力するものということができるのであるから、まさしく相違点５に係る本件発明２の構成を備えており、当該構成によってキー入力信号のチャタリングを除去し、当該キー入力信号が確実に「Ｈｉｇｈ」に変化したことを検知することができる。
　それ故、引用発明１において、電圧比較器３の出力変化からチャタリングの影響を除去し、当該出力変化がレーザビーム照射によって生じたものであることを確実に検知するという上記課題を解決するため、電圧比較器３の直後に引用発明２のチャタリング除去回路を設けること（この場合、「電圧比較器３」及び「チャタリング除去回路」が全体として本件発明２における「ビーム検知手段」に相当する。）は、当業者であれば容易に想到できることである。
　
（３）本件発明２の進歩性の判断
　相違点３に係る本件発明２の構成と引用発明１の構成とには実質的な差異がない。また、相違点４及び相違点５に係る本件発明２の構成はいずれも当業者にとって想到容易である。さらに、これら構成を採用したことによる格別の作用効果を認めることもできない。
　したがって、本件発明２は、引用発明１、引用発明２及び周知技術に基づいて当業者が容易に発明できたものである。
　
７．本件発明３と引用発明１の一致点及び相違点の認定
　本件発明３は、本件発明１の構成すべてを構成とし、さらに「マスク時間設定手段により設定されるマスク時間」を「１走査期間の１／１０以上の長さ」としたものである。それ故、本件発明３と引用発明１とを対比すると、上記３．において本件発明１と引用発明１とが一致すると認定した点で本件発明３と引用発明１は一致し、以下の点で相違する。
　
［相違点６］
　本件発明３では、マスク時間を設定するマスク時間設定手段を有するのに対して、引用発明１では、そのような手段を有するか否か不明な点。
　
［相違点７］
　本件発明３では、ビーム検知手段の入力をマスクしているのに対して、引用発明１では、ビーム検知手段の出力をマスクしている点。
　
［相違点８］
　本件発明３では、マスク時間を１走査期間の１／１０以上の長さとしているのに対して、引用発明１では、マスク時間に当該条件を課していない点。
　
８．相違点についての判断及び本件発明３の進歩性の判断
　
（１）相違点６及び相違点７について
　相違点６及び７は、本件発明１と引用発明１との相違点１及び２と同一である。そして、相違点１は実質的な差異ではないこと、相違点２に係る本件発明１の構成を採用することは当業者にとって想到容易であることは４．（１）及び（２）で述べたとおりであるから、同様の理由により、相違点６に係る本件発明３の構成と引用発明１の構成とには実質的な差異がなく、相違点７に係る本件発明３の構成を採用することは、当業者にとって容易に想到できることである。
　
（２）相違点８について
　レーザ光の１走査期間と対応する該１周期よりも短く、かつ、ビームディテクト信号の開始後であってビームディテクト信号の終了前にマスクが開始され、前記ビームディテクト信号の終了後にマスクが解除されるという条件を満たす以外に、マスク時間をどの程度に設定するかは、ビーム検知手段におけるビームディテクト信号とチャタリングによるパルスとの判別能力およびビームディテクト信号の終了後以降におけるチャタリングの発生の可能性に基づき、チャタリングによるパルスをビームディテクト信号と誤認して誤動作を起こすおそれをどの程度まで低減するかを考慮して、当業者が適宜決定し得る設計事項である。
　
（３）本件発明３の進歩性の判断
　相違点６に係る本件発明３の構成と引用発明１の構成とには実質的な差異がない。また、相違点７及び相違点８に係る本件発明３の構成は、設計事項或いは当業者にとって想到容易である。さらに、これら構成を採用したことによる格別の作用効果を認めることもできない。
　したがって、本件発明３は、引用発明１、引用発明２及び周知技術に基づいて当業者が容易に発明できたものである。
　
第４　むすび
　以上のとおりであるから、請求項１乃至３に係る発明は、特許法２９条２項の規定により特許を受けることができない。
　したがって、請求項１乃至３に係る発明についての特許は拒絶の査定をしなければならない特許出願に対してされたものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年２月２２日（２００５．２．２２）
【訂正の要旨】
審決（決定）の【理由】欄参照。
（５４）【発明の名称】
レーザ記録装置
（５７）【特許請求の範囲】
　【請求項１】　感光ドラム上をレーザ光により主走査方向へ走査して潜像を形成し、該潜像にトナーを付着させ可視画像を形成し、用紙に画像を転写するレーザ記録装置において、
　感光ドラムと関連する所定位置に配置され、レーザ光を検出してビームディテクト信号を発するレーザ光検出素子と、該レーザ光検出素子からのビームディテクト信号の開始に基づき前記所定位置へのレーザ光の照射を検知し、ビームディテクト検知信号を出力するビーム検知手段と、
　前記ビーム検知手段の
入力
　レーザ光の１走査期間と対応する該１周期よりも短いマスク時間を設定するマスク時間設定手段とを有し、
　前記マスク手段が、前記ビーム検知手段のビームディテクト検知信号の出力により、ビームディテクト信号の開始後であってビームディテクト信号の終了前に前記ビーム検知手段の
入力
　【請求項２】　前記ビーム検知手段が、該レーザ光検出素子からの信号を複数回読み出すことにより、前記所定位置へのレーザ光の照射を検知し、ビームディテクト信号を出力することを特徴とする請求項１のレーザ記録装置。
　【請求項３】　前記マスク時間設定手段により設定されるマスク時間が、１走査期間の１／１０以上の長さであることを特徴とする請求項１のレーザ記録装置。
【発明の詳細な説明】
　【０００１】
　【産業上の利用分野】
　本発明は、レーザ記録装置に関し、更に詳細には、レーザ光の検出を行うビームディテクト装置を有するレーザ記録装置に関するものである。
　【０００２】
　【従来の技術】
　図６を参照して従来技術に係るレーザ記録装置について説明する。レーザ装置１２からのレーザ光１３が、図示しない定速モータにより回転されているボリゴンミラー１４へ出射される。ボリゴンミラー１４によって偏向されたレーザ光１６は、レンズ１５を通過して感光ドラム１９に照射される。即ち、レーザ装置１２からのレーザ光は、感光ドラム１９上に主走査される。レーザ光１６によって感光ドラム１９上に形成された潜像は図示しない現像機によってトナーが付着され可視化され、該感光ドラム１９上のトナーは、図示しない転写機によって用紙２０に転写される。
　【０００３】
　レーザ光１６の一部は、ＢＤミラー１７で反射されＢＤセンサ１８に入射される。ＢＤセンサ１８は、印字開始位置検出のためのＢＤ（ビームディテクト）信号を図示しないビームディテクト装置（以下ＢＤ検知装置と称する）へ出力する。ＢＤ検知装置は、ＢＤ信号に基づきＢＤ検知信号を発生する。レーザ記録装置は、このＢＤ検知信号に基づき感光ドラム１９上の印字開始位置１９ａを決定し、レーザ装置１２に変調信号を与え、該印字開始位置１９ａから１ライン分の潜像の形成を開始する。このＢＤセンサ１８からのＢＤ信号は、図示しない波形成形回路に加えられ、波形成形されてからＢＤ検知装置に送られる。図７に波形成形されたＢＤ信号の波形と（図７（Ａ））、ＢＤ検知装置の検出信号（ＢＤ検知信号）の波形（図７（Ｂ））とを示す。このようにＢＤ検知装置は、ＢＤ信号に基づきＢＤ検知信号を発生する（立ち上げる）。
　【０００４】
　該波形成形回路では、ＢＤセンサ１８からのＢＤ信号の開始時に図中ｆで示すように信号を急峻に立ち下げる波形成形を行う。即ち、波形立ち下がりの時点ｆが、レーザ記録装置の印字開始位置１９ａを決定するタイミングとなるため、波形の立ち下がりがなだらかであると、ＢＤ検知信号を発生させるタイミングにずれが発生し易くなるからである。例えば、読み出しのサンプリング時間をレーザ記録装置の１ドットの３分の１の周期に設定した場合には、波形の立ち下がりがなだらかなために読み出しが３回分ずれたとするならば、１ドット分その印字がなされるラインにおいて遅れることになり、これは明らかな印字のずれになるからである。
　【０００５】
　【発明が解決しようとする課題】
　しかしながら、該波形成形回路では、ＢＤセンサ１８からのＢＤ信号の開始時に図中ｆで示すように信号を急峻に立ち下げる波形成形を行うために、ＢＤ信号の終了時には図中ｇで示すように立ち上がりがなだらかになってしまう。このなだらかな立ち上がりの途中において、ＢＤ検知装置は、内部に設定されているしきい値のゆらぎ等により、一旦ＢＤ信号の無し（ハイレベル）を検出した後、再度ＢＤ信号有りを検出する（ｇ’）いわゆるチャタリング等の誤動作を発生することがある。これが、レーザ記録装置による印字開始位置のずれの原因となることがあった。
　【０００６】
　また、ＢＤ信号を一回読み出すことによりＢＤ検知信号を発生させる所謂一度読みの場合には、上記なだらかな立ち上がり以外においても、ＢＤ検知装置が、電源ライン等からのノイズによってＢＤ検知信号を発生することがあった。他方、このような誤動作によるＢＤ検知信号の発生を防ぐために、長い時間をかけてＢＤ信号を多数回、例えば５回読み出す方法も考えられるが、その読み出しの間にノイズ等でＢＤ信号が読み出せないことがあると、最初から読み出しを開始することになり、発生させるべきタイミングからかなり遅れてＢＤ検知信号を発生させる原因となることが予想された。
　【０００７】
　本発明は、上述した課題を解決するためになされたものであり、その目的とするところは、ＢＤ検知信号を１回の主走査において１回のみ正確に発生できるレーザ記録装置を提供することにある。
　【０００８】
　【課題を解決するための手段】
　上記の目的を達成するため、感光ドラム上をレーザ光により主走査方向へ走査して潜像を形成し、該潜像にトナーを付着させ可視画像を形成し、用紙に画像を転写する本発明のレーザ記録装置において、感光ドラムと関連する所定位置に配置され、レーザ光を検出してビームディテクト信号を発するレーザ光検出素子と、該レーザ光検出素子からのビームディテクト信号の開始に基づき前記所定位置へのレーザ光の照射を検知し、ビームディテクト検知信号を出力するビーム検知手段と、前記ビーム検知手段の
入力
入力
　【０００９】
　【作用】
　上記のように構成されたレーザ記録装置では、１走査の開始時にレーザ光検出素子がレーザ光の照射を受けビームディテクト信号を出力する。ビーム検知手段が、このビームディテクト信号を基に所定位置へのレーザ光の照射を検知し、ビームディテクト検知信号を出力する。これに応じて、マスク手段がビームディテクト信号の開始後であってビームディテクト信号の終了前に該
ビーム検知手段の入力をマスクする。
　【００１０】
　【実施例】
　以下、本発明を具体化した実施例を図を参照して説明する。ここで、本発明のレーザ記録装置の機械的構成については、図６を参照して前述した従来技術のものと同様であるので、ここでは図６を用いて説明を行う。図１は、本発明の第１実施例に係るレーザ記録装置のＢＤ検知装置３０のブロック図である。ＢＤ検知装置３０は、ＢＤセンサ１８からの信号を基に、印字開始位置を検出するためのＢＤ検知信号を発生して制御装置４０側へ送出する。該制御装置４０は、このＢＤ検知信号に基づき印字開始位置を決定し、レーザ装置１２に変調信号を与え、感光ドラム１９上に潜像の形成を開始する。
　【００１１】
　図１に示すようにこのＢＤ検知装置３０は、ＢＤセンサ１８からの信号を波形成形する波形成形回路３２と、この波形成形されたＢＤセンサ１８からの信号を基にＢＤ検知信号を発生するＢＤ検知回路３４と、レーザ記録装置１の主走査時間に相当する１．８６ｍｓ、該ＢＤ検知回路３４の読み出し周期１２５ｎｓ等を設定するクロック信号を発生するためのクロック回路３６と、後述するマスク回路のマスク時間を設定する周期設定回路３７と、ＢＤ検知回路３４の入力側をマスクするマスク回路３８とから成る。
　【００１２】
　ここで、上記ＢＤ検知回路３４と、周期設定回路３７と、マスク回路３８との回路構成について図２を参照して更に詳細に説明する。ＢＤ検知回路３４は、波形成形回路からの入力をゲートするアンドゲート３５と、アンドゲート３５からの出力をラッチする第１フリップフロップ３４ｂ、第２フリップフロップ３４ｃ、及び第３フリップフロップ３４ｄとから成る。該第１フリップフロップ３４ｂ、第２フリップフロップ３４ｃ、第３フリップフロップ３４ｄには、周期１２５ｎｓのクロック信号が加えられるようになっている。周期設定回路３７は、カウンタ３７ａとデェジタルコンパレータ３７ｂとから成り、カウンタ３７ａは、周期１２５ｎｓのクロック信号をカウントしてデェジタルコンパレータ３７ｂ側へ出力し、該デェジタルコンパレータ３７ｂは、１回の走査時間である１．８６ｍｓの１／１０に相当する０．１８６ｍｓを設定してＦ端子からパルス信号を送出するように構成されている。マスク回路３８は、フリップフロップ３８ａから成り、該フリップフロップ３８ａは、ＢＤ検知回路３４の第３フリップフロップ３４ｄのＤ端子からの入力をラッチして、Ｅ端子（反転出力）から出力し、このラッチ状態を上記該デェジタルコンパレータ３７ｂのＦ端子からのパルス信号の入力があるまで維持する。
　【００１３】
　次に、本実施例のレーザ記録装置の動作について図１乃至図３及び図６を参照して説明する。ここで、図３は各回路の１走査周期（１．８６ｍｓ）における波形を示しており、（Ｃ）は図１に示す波形成形回路３２の出力を、（Ｄ）は図２に示すＢＤ検知回路３４の第３フリップフロップ３４ｄのＤ端子出力を、（Ｅ）はマスク回路３８のフリップフロップ３８ａのＥ端子出力を、（Ｆ）は周期設定回路３７のデェジタルコンパレータ３７ｂのＦ端子出力を示している。
　【００１４】
　先ず、制御装置４０が、図６に示すボリゴンミラー１４を等速で回転させると共に、レーザ装置１２からレーザ光１３を出射させる。ボリゴンミラー１４によって偏向されたレーザ光１６は、レンズ１５を通過してＢＤミラー１７で反射されＢＤセンサ１８に入射される。ＢＤセンサ１８は、ＢＤ（ビームディテクト）信号を図１に示すＢＤ検知装置３０の波形成形回路３２側へ出力する。このＢＤセンサ１８からのＢＤ信号は、該波形成形回路３２で図３（Ｃ）に示すように該ＢＤ信号の発生した時点での立ち下がりｊが急峻になるよう波形成形されてからＢＤ検知回路３４に加えられる。ＢＤ検知回路３４に加えられた信号は、図２に示すアンドゲート３５の第１入力３５ａに加えられる。ここでは、後述するように第２入力３５ｂ側にマスク回路３８のフリップフロップ３８ａからのハイレベルの出力が加えられているため、該第１入力３５ａに加えられたＢＤ信号は、そのまま第１フリップフロップ３４ｂ側に加えられる。この状態で、１２５ｎｓのクロック信号が印加されると（図３（Ｄ）中の（ｉ）で示す）　、該第１フリップフロップ３４ｂは該ＢＤ信号をラッチして第２フリップフロップ３４ｃに加える。この状態で、次の１２５ｎｓのクロック信号が印加されると（図３（Ｄ）中の（ｉｉ）で示す）　、該第２フリップフロップ３４ｃはＢＤ信号をラッチして第３フリップフロップ３４ｄに加える。更にこの状態で、次の１２５ｎｓのクロック信号が印加されると（図３（Ｄ）中の（ｉｉｉ）で示す）　、該第３フリップフロップ３４ｄはＢＤ信号をラッチしＤ端子から出力する。これが図３（Ｄ）に示すＢＤ検知信号ｊ’となる。即ち、ＢＤ検知回路３４は、１２５ｎｓのタイミングでＢＤ信号を３回読みし、３回ともＢＤ信号が有る（図３（Ｃ）に示すロウレベルが続く）ときに、制御装置４０側へＢＤ検知信号を送出する。
　【００１５】
　このＢＤ検知信号により、制御装置４０は、レーザ光がＢＤセンサ１８に照射されたことを認識する。即ち、このＢＤ検知信号が入力されてから所定時間経過後、感光ドラム１９上の印字開始位置１９ａにレーザ光１６が照射されるようになるため、制御装置４０は、この所定時間の経過時にレーザ装置１２に対して印字用の変調を加え、該印字開始位置１９ａから１ライン分の潜像の形成を開始する。
　【００１６】
　一方、第３フリップフロップ３４ｄのＤ端子からの出力は、マスク回路３８のフリップフロップ３８ａへ加えられ、該フリップフロップ３８ａは、Ｅ端子（反転出力）からの出力をロウ側へ切り換える（図３（Ｅ）参照）。このロウ側に切り換えられた出力は、アンドゲート３５の第２入力３５ｂに加えられる。以後、このアンドゲート３５は、第１入力３５ａ側からの入力の有無に関わらず、ロウレベルの出力を維持することになる。即ち、マスク回路３８からの信号によりＢＤ検知回路３４は、マスクされチャタリング等の誤動作を生じなくなる。
　【００１７】
　他方、周期設定回路３７のカウンタ３７ａは、１２５ｎｓのクロック信号を計数しており、その計数値をデェジタルコンパレータ３７ｂに加えている。このデェジタルコンパレータ３７ｂは、レーザ記録装置の主走査方向への走査の開始（図３（Ｃ）に示すｊに相当）から、０．１８６ｍｓ経過した時点（図３（Ｆ）に示すｋ）で、Ｆ端子からパルス信号を出力する（なお、この０．１８６ｍｓは、前述したように主走査方向への走査時間１．８６ｍｓの１／１０に対応する）。このパルス信号が加えられると、マスク回路３８のフリップフロップ３８ａはクリアされ、Ｅ端子からの出力をハイ側へ切り換える（図３（Ｅ）参照）。このハイ側に切り換えられた出力は、アンドゲート３５の第２入力３５ｂに加えられる。以後、このアンドゲート３５は、第１入力３５ａへＢＤ信号が入力されると、これを第１フリップフロップ３４ｂ側へと出力するようになる。即ち、該ＢＤ検知回路３４は、マスク回路３８によるマスクが解除される。これ以降、次のレーザ光の主走査の開始によりＢＤセンサ１８にレーザ光が照射され、上述した動作が繰り返される。
　【００１８】
　次に、本発明の第２実施例について説明する。この第２実施例の回路動作は前述した第１実施例と略同様である。但し、第１実施例においては、ＢＤ検知回路３４がＢＤ信号を３回読みしたが、この第２実施例においては、ＢＤ信号を１回の読み出しで検出する。この第２実施例の構成は、図１を参照して前述した第１実施例と同様であるので図示及び説明を省略し、ＢＤ検知回路３４と、周期設定回路３７と、マスク回路３８との回路構成についてのみ図４を参照して説明する。ＢＤ検知回路３４は、波形成形回路３２からの入力をゲートするアンドゲート３５と、アンドゲート３５からの出力をラッチする第１フリップフロップ３４ｂとから成る。該第１フリップフロップ３４ｂには周期１２５ｎｓのクロック信号が加えられるようになっている。周期設定回路３７は、カウンタ３７ａとデェジタルコンパレータ３７ｂとから成り、該デェジタルコンパレータ３７ｂは、１回の走査時間である１．８６ｍｓの９割に相当する１．６７４ｍｓを設定して出力端子からパルス信号を送出するように構成されている。マスク回路３８は、フリップフロップ３８ａから成り、該フリップフロップ３８ａは、ＢＤ検知回路３４の第１フリップフロップ３４ｂの出力端子からの信号をラッチして、このラッチ状態を、上記該デェジタルコンパレータ３７ｂからのパルス信号の入力があるまで維持する。
　【００１９】
　この第２実施例において、図６に示すＢＤセンサ１８にレーザ光が入射されると、ＢＤセンサ１８が、ＢＤ信号をＢＤ検知装置３０の波形成形回路３２側へ出力する。このＢＤ信号は、波形成形回路３２で波形成形されてからＢＤ検知回路３４に加えられる。ＢＤ検知回路３４に加えられた信号は、図４に示すアンドゲート３５の第１入力３５ａに加えられる。ここでは、第２入力３５ｂ側にもマスク回路３８のフリップフロップ３８ａからの出力が加えられているため、該第１入力３５ａに加えられたＢＤ信号は、そのまま第１フリップフロップ３４ｂに加えられる。この状態で、１２５ｎｓのクロック信号が加えられると、該第１フリップフロップ３４ｂは該ＢＤ信号をラッチし、これをＢＤ検知信号として出力する。即ち、ＢＤ検知回路３４は、１２５ｎｓのタイミングでＢＤ信号を１回読みして制御装置４０側へＢＤ検知信号として送出する。なお、この第２実施例のマスク回路３８によるＢＤ検知回路３４のマスク及びマスク解除動作は、上述した第１実施例と同様であるので説明を省略する。この第２実施例においては、ＢＤ信号を一回読みにより検知するので読み出しが早い利点がある。
　【００２０】
　次に、本発明の第３実施例の構成について図５のブロック図を参照して説明する。ここで、図１を参照して前述した第１実施例と同様なブロックについては、第１実施例と同じ参照符号を用いるとともに説明を省略する。前述した第１実施例においては、マスク回路３８によってＢＤ検知回路３４の入力側がマスクされたが、この第３実施例においては、ＢＤ検知回路３４の出力がゲート回路１３８に加えられ、ゲート時間以外はマスクされる構成になっている。また、前述した第１実施例においては、マスク回路３８のマスク時間がクロックを分集する周期設定回路３７によって設定されたが、この第３実施例においては、ゲート回路１３８に対して、制御装置４０側からレーザ光による印字実行中は停止信号が与えられ、この印字の完了、即ち、次の走査が開始されレーザ光がＢＤセンサ１８に入射されるタイミングにおいてのみゲート信号が与えられるように構成されている。この第３実施例の構成においても、上述した第１、第２実施例と同様に動作することができる。
　【００２１】
　なお、第１実施例では、ＢＤ検知回路３４がマスク回路３８による主走査時間の１／１０に渡ってマスクされる例について説明したが、第１実施例では、ＢＤ信号を３回読みしており、ノイズ等によってＢＤ信号が誤って検出される可能性は低いため、図３（Ｃ）に示すＢＤ信号の立ち上がりの完了までマスクが成されていれば実用に耐え得る。このため、マスク回路３８によるマスクは、主走査時間の１／１０程度で十分である。反対に第２実施例においては、ＢＤ検知回路３４が、ＢＤ信号を１回読みしており、上述した立ち上がり時間以外にもノイズ等によってＢＤ信号を誤って検出する可能性があるため、第２実施例に設定されたように主走査時間の９／１０に渡ってマスクされることが望ましい。
　【００２２】
　また、上述した第１、第２、第３実施例においては、ＢＤ検知信号のマスクが電子回路により行われる例について説明したが、この発明は、ソウトウェアによっても実現し得るものである。
　【００２３】
　【効果】
　以上記述したように本発明のレーザ記録装置によれば、走査開始時のレーザ光検出素子へのレーザ光の照射から、次の走査開始時のレーザ光検出素子へのレーザ光の照射までの間におけるマスク時間、
ビーム検知手段の入力
【図面の簡単な説明】
　【図１】本発明の第１実施例に係るＢＤ検知装置のブロック図である。
　【図２】図１のＢＤ検知装置の構成を示す回路図である。
　【図３】第１実施例のＢＤ検知装置の波形図である。
　【図４】本発明の第２実施例のＢＤ検知装置の構成を示す回路図である。
　【図５】本発明の第３実施例のＢＤ検知装置の構成を示すブロック図である。
　【図６】従来技術及び実施例に係るレーザ記録装置の主要部の機械的構成を示す斜視図である。
　【図７】従来技術のＢＤ検知装置の波形図である。
　【符号の説明】
　１８　ＢＤセンサ
　１９　感光ドラム
　２０　用紙
　３０　ＢＤ検知装置
　３４　ＢＤ検知回路
　３７　周期設定回路
　３８　マスク回路